(57)【要約】【課題】本発明は、シーツサイズ等、各種サイズにおいて、十分な冷却効果を発揮し、かつ、通気性が良く、発汗による悪臭防止をも図ることができる吸汗消臭機能付保冷具を実現し提供するものである。【解決手段】本発明の吸汗消臭機能付保冷具は、布状素材からなる表地３と、非吸水性素材からなる裏地４とを有するシート状の２枚の被覆材同士を、裏地４同士を重ね合わせ、放熱用の複数の抜穴８を設け、かつ、裏地４同士間において流動が規制される状態で保冷媒体５を散在状態で収納した保冷具２１と、保冷具２１の一面に重合配置されるとともに、吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材１５と、保冷具２１、シート状吸汗消臭材１５の外周部を覆うように縫着され、前記保冷具２１、シート状吸汗消臭材１５を一体化した周辺逢着材４１と、を有するものである。【選択図】図４
2011218007.tif 000002
【特許請求の範囲】
【請求項１】
布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、
前記保冷具のいずれか一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材と、
前記保冷具、シート状吸汗消臭材の外周部を覆うように縫着され、前記保冷具、シート状吸汗消臭材を一体化した周辺逢着材と、
を有することを特徴とする吸汗消臭機能付保冷具。
【請求項２】
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、を有する保冷具と、
前記保冷具のいずれか一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げ、その表面をワッフル地形態に形成したシート状吸汗消臭材と、
前記保冷具、シート状吸汗消臭材の外周部を覆うように縫着され、前記保冷具、シート状吸汗消臭材を一体化した周辺逢着材と、
を有することを特徴とする吸汗消臭機能付保冷具。
【請求項３】
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有し、敷布団用サイズ、シーツ用サイズ、枕用サイズ又はこれらの中間寸法のハーフサイズ、更にカーシートサイズや座布団サイズ、ワイン保冷用シートサイズのうちから選定される矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、を有する保冷具と、
前記保冷具のいずれか一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げ、その表面をワッフル地形態に形成したシート状吸汗消臭材と、
前記保冷具、シート状吸汗消臭材の外周部を覆うように縫着され、前記保冷具、シート状吸汗消臭材を一体化した周辺逢着材と、
を有することを特徴とする吸汗消臭機能付保冷具。
【請求項４】
布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、
前記保冷具の一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材と、
前記保冷具の他面に重合配置されるとともに、網目状表地及び網目状裏地を対向配置とし、前記網目状表地、網目状裏地の間を各々間隔を隔て連結する弾性連結糸材群を具備し、前記網目状表地、網目状裏地の間に弾性、通気性を持たせた多穴弾性体と、
前記保冷具、シート状吸汗消臭材、多穴弾性体の外周部を覆うように縫着され、前記保冷具、シート状吸汗消臭材、多穴弾性体を一体化した周辺逢着材と、
を有することを特徴とする吸汗消臭機能付保冷具。
【請求項５】
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、を有する保冷具と、
前記保冷具の一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材と、
前記保冷具の他面に重合配置されるとともに、網目状表地及び網目状裏地を対向配置とし、前記網目状表地、網目状裏地の間を各々間隔を隔て連結する弾性連結糸材群を具備し、前記網目状表地、網目状裏地の間に弾性、通気性を持たせた多穴弾性体と、
前記保冷具、シート状吸汗消臭材、多穴弾性体の外周部を覆うように縫着され、前記保冷具、シート状吸汗消臭材、多穴弾性体を一体化した周辺逢着材と、
を有することを特徴とする吸汗消臭機能付保冷具。
【請求項６】
繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有し、敷布団用サイズ、シーツ用サイズ、枕用サイズ又はこれらの中間寸法のハーフサイズ、更にカーシートサイズや座布団サイズ、ワイン保冷用シートサイズのうちから選定される矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、を有する保冷具と、
前記保冷具の一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材と、
前記保冷具の他面に重合配置されるとともに、多数の穴が連続して連なる形態の矩形シート状の網目状表地及び網目状裏地を対向配置とし、前記網目状表地、網目状裏地の対向する網材間を各々間隔を隔てストレート、クロス又はストレート・クロス混合から選ばれる形態で連結する弾性連結糸材群を具備し、前記網目状表地、網目状裏地の間に弾性、通気性を持たせた偏平な形態で前記保冷具に対応するサイズの多穴弾性体と、
前記保冷具、シート状吸汗消臭材、多穴弾性体の外周部を覆うように縫着され、前記保冷具、シート状吸汗消臭材、多穴弾性体を一体化した周辺逢着材と、
を有することを特徴とする吸汗消臭機能付保冷具。
【発明の詳細な説明】
【技術分野】
【０００１】
本発明は、吸汗消臭機能付保冷具に関し、詳しくは、ジェルを含む保冷媒体の冷却効果を利用し人体各部の冷却用として使用し得るとともに、吸汗消臭機能も有し、使用感が極めて良好な吸汗消臭機能付保冷具に関するものである。
【背景技術】
【０００２】
従来からジェルを含む保冷媒体を枕サイズ、敷布団サイズ、シーツサイズ等の外装体内に収納して冷却パッドを構成し、高温期の就寝時等において、この保冷具を枕に被せて頭部を冷却したりベッド上に載置して身体の背中等を冷却したりすることが行われている。
【０００３】
このような冷却パッドの場合、内部に収納したジェルを含む保冷媒体の流動性が大きいことから、単に保冷媒体を外装体内に収納しただけでは身体の重さにより保冷媒体が外装体内で偏在してしまい、身体に対する冷却効果を十分に期待できなくなる。
【０００４】
また、特に夏季等のように夜間でも寝室等の室内温度が高くなる季節においては、冷却パッドを使用する使用者の就寝中における発汗対策、すなわち、汗の吸汗や消臭についての対策も考慮することが必要となる。
【０００５】
特許文献１には、本発明に関連する技術として、長方形状の収納体内にジェル状保冷体を収納し、収納体の表裏面を予め銀イオン加工を施した表地と裏地とからなる表面材で覆うように構成した保冷パッドが開示されている。
【０００６】
この保冷パッドは、ジェル状保冷体により人体各部への冷却効果を発揮させるとともに、銀イオン加工による各種細菌の殺菌効果によって、保冷パッド衛生的に保ち、かつ、発汗等による異臭防止を図ったものである。
【０００７】
しかし、特許文献１の保冷パッドの場合、この保冷パッドを例えば９００ｍｍ×１８００ｍｍのようなマットレス又は敷ふとん用のサイズに形成した場合、収納体に複数の折り畳み部が形成されているもののジェル状保冷体の流動性を抑える対策は講じられておらず、ジェル状保冷体の流動性の点を考慮すると、就寝者の身体の重量によるジェル状保冷体の偏りのため十分な冷却効果を期待し得ないものと推定される。
【先行技術文献】
【特許文献】
【０００８】
【特許文献１】実用新案登録第３１５２４９７号公報
【発明の概要】
【発明が解決しようとする課題】
【０００９】
本発明が解決しようとする問題点は、敷布団サイズ、シーツサイズ、枕サイズ等のような各種のサイズにおいて、保冷媒体の流動性による偏在を抑えて身体に対する十分な冷却効果を発揮し、かつ、通気性が良く熱の放熱作用にも優れ、しかも、発汗による悪臭防止をも図ることができるような吸汗消臭機能付保冷具が存在しない点である。
【課題を解決するための手段】
【００１０】
本発明に係る吸汗消臭機能付保冷具は、布状素材からなる表地と、非吸水性素材からなる裏地とを有するシート状の２枚の被覆材同士を、前記裏地同士を重ね合わせ、放熱用の複数の抜穴を設け、かつ、前記裏地同士間において流動が規制される状態で保冷媒体を散在状態で収納した保冷具と、前記保冷具のいずれか一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材と、前記保冷具、シート状吸汗消臭材の外周部を覆うように縫着され、前記保冷具、シート状吸汗消臭材を一体化した周辺逢着材と、を有することを最も主要な特徴とする。
【発明の効果】
【００１１】
請求項１記載の発明によれば、外装体内に流動が規制される状態で散在した保冷媒体によって夏季等の高温期における就寝開始時から目覚め時に至るまで就寝者の体温を程よく冷却することができ、また、就寝者が発汗したとしてもその汗成分をシート状吸汗消臭材により吸収、速乾し、消臭することができ快適な睡眠環境を実現できる吸汗消臭機能付保冷具を実現し提供することができる。
【００１２】
請求項２記載の発明によれば、保冷具を、繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、を有する構成として、請求項１記載の発明の場合と同様、外装体内に流動が規制される状態で散在した保冷媒体によって夏季等の高温期における就寝開始時から目覚め時に至るまで就寝者の体温を程よく冷却することができ、また、就寝者が発汗したとしてもその汗成分をシート状吸汗消臭材により吸収、速乾し、消臭することができ快適な睡眠環境を実現できる吸汗消臭機能付保冷具を実現し提供することができる。
【００１３】
請求項３記載の発明によれば、請求項２記載の発明と同様な構成で、かつ、吸汗消臭機能付保冷具自体のサイズを敷布団用サイズ、シーツ用サイズ、枕用サイズ又はこれらの中間寸法のハーフサイズ、更にカーシートサイズや座布団サイズ、ワイン保冷用シートサイズのうちから選ばれる構成として、各サイズ各々において就寝者やカーシート使用者に対する冷却及び汗の吸収、消臭効果、更にはワイン等に対する冷却効果を発揮させることができる吸汗消臭機能付保冷具を実現し提供することができる。
【００１４】
請求項４記載の発明によれば、請求項１記載の発明と同様、外装体内に流動が規制される状態で散在した保冷媒体によって夏季等の高温期における就寝開始時から目覚め時に至るまで就寝者の体温を程よく冷却することができ、また、就寝者が発汗したとしてもその汗成分をシート状吸汗消臭材により吸収、速乾し、更に消臭することができ、加えて、多穴弾性体の撓み作用による心地よい使用感をも実現できる吸汗消臭機能付保冷具を実現し提供することができる。
【００１５】
請求項５記載の発明によれば、請求項２記載の発明と同様な効果を発揮し、加えて、多穴弾性体の撓み作用による心地よい使用感をも実現できる吸汗消臭機能付保冷具を実現し提供することができる。
【００１６】
請求項６記載の発明によれば、請求項３記載の発明と同様な効果を発揮し、加えて、特に就寝者においては多穴弾性体の撓み作用による心地よい使用感をも実現できる吸汗消臭機能付保冷具を実現し提供することができる。
【図面の簡単な説明】
【００１７】
【図１】図１は本発明の実施例１に係る吸汗消臭機能付保冷具の平面図である。
【図２】図２は本実施例１に係る吸汗消臭機能付保冷具の裏面図である。
【図３】図３は本実施例１に係る吸汗消臭機能付保冷具の側面図である。
【図４】図４は本実施例１に係る吸汗消臭機能付保冷具の断面図である。
【図５】図５は本実施例１に係る吸汗消臭機能付保冷具におけるシート状吸汗消臭材の表面の織り上げ状態を示す部分拡大図である。
【図６】図６は本実施例１に係る吸汗消臭機能付保冷具の使用態様を示す概略平面図である。
【図７】図７は本実施例１に係る吸汗消臭機能付保冷具の冷却作用の説明図である。
【図８】図８は本発明の実施例２に係る吸汗消臭機能付保冷具の平面図である。
【図９】図９は本実施例２に係る吸汗消臭機能付保冷具の裏面図である。
【図１０】図１０は本実施例２に係る吸汗消臭機能付保冷具の使用態様を示す概略平面図である。
【図１１】図１１は本発明の実施例３に係る吸汗消臭機能付保冷具の平面図である。
【図１２】図１２は本実施例３に係る吸汗消臭機能付保冷具の裏面図である。
【図１３】図１３は本実施例３に係る吸汗消臭機能付保冷具の使用態様を示す概略平面図である。
【図１４】図１４は本発明の実施例４に係る吸汗消臭機能付保冷具の平面図である。
【図１５】図１５は本実施例４に係る吸汗消臭機能付保冷具の裏面図である。
【図１６】図１６は本実施例４に係る吸汗消臭機能付保冷具の側面図である。
【図１７】図１７は本実施例４に係る吸汗消臭機能付保冷具の部分断面図である。
【図１８】図１８は本実施例４に係る吸汗消臭機能付保冷具における多穴弾性体の部分断面図である。
【図１９】図１９は本実施例４に係る吸汗消臭機能付保冷具の使用態様を示す概略平面図である。
【図２０】図２０は本発明の実施例５に係る吸汗消臭機能付保冷具の平面図である。
【図２１】図２１は本実施例５に係る吸汗消臭機能付保冷具の裏面図である。
【図２２】図２２は本実施例５に係る吸汗消臭機能付保冷具の使用態様を示す概略平面図である。
【図２３】図２３は本発明の実施例６に係る吸汗消臭機能付保冷具の平面図である。
【図２４】図２４は本実施例６に係る吸汗消臭機能付保冷具の裏面図である。
【図２５】図２５は本実施例６に係る吸汗消臭機能付保冷具の使用態様を示す概略平面図である。
【発明を実施するための形態】
【００１８】
本発明は、敷布団サイズ、シーツサイズ、枕サイズのような各種サイズにおいて、保冷媒体の流動性による偏在を抑えて身体に対する十分な冷却効果を発揮し、かつ、通気性が良く熱の放熱作用にも優れ、しかも、発汗による悪臭防止をも図ることができる吸汗消臭機能付保冷具を実現し提供するという目的を、繊維、綿、ナイロン、ポリエステル、レーヨン、麻、起毛生地、ちりめん、楊柳、タオル地のうちから選定される表地と、高周波加熱により溶着可能な非吸水性素材であるポリ塩化ビニルからなる裏地とを有する矩形シート状の２枚の被覆材同士を、前記裏地同士を重ね合わせて裏地同士の高周波加熱による外周圧着部、内部領域の円環状で、かつ、放熱用の抜穴を有する複数箇所の部分圧着部及び直線状の中間圧着部をもって偏平な形態に形成した外装体と、前記外周圧着部、内部領域の部分圧着部及び中間圧着部により前記外装体内において流動が規制される状態で収納したジェル、ポリアクリル酸ナトリウム、硫酸アンモニウム、硫酸ナトリウム、グリセリン、水、防カビ剤を含む保冷媒体と、前記保冷具のいずれか一面に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げ、表面をワッフル地形態に形成したシート状吸汗消臭材と、前記保冷具、シート状吸汗消臭材の外周部を覆うように縫着され、前記保冷具、シート状吸汗消臭材を一体化した周辺逢着材と、を有する構成により実現した。
【実施例１】
【００１９】
以下、本発明の実施例に係る吸汗消臭機能付保冷具について詳細に説明する。
【００２０】
最初に、図１乃至図７を参照して本発明の実施例１に係る吸汗消臭機能付保冷具１について説明する。
【００２１】
本実施例１に係る吸汗消臭機能付保冷具１は、例えば敷布団又はマットレス等の上に敷いて使用するものである。
【００２２】
本実施例１に係る吸汗消臭機能付保冷具１は、図１乃至図５に示すように、例えば綿材、ナイロン、ポリエステル、レーヨン、麻、起毛生地、ちりめん、楊柳、タオル地等からなる表地３と、高周波加熱により溶着可能な例えばポリ塩化ビニル（ＰＶＣ）等の非吸水性素材からなる裏地４とを重合した一方の被覆材と、同様な構成の表地３、裏地４からなる他方の被覆材とを前記裏地４同士が対向する配置で重ね合わせ、高周波加熱加工を施した外装体２と、この外装体２内に散在状態で密封収納したジェルを含む保冷媒体５と、を有する保冷具２１と、前記保冷具２１のいずれか一面（例えば図４に示すような下面）に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材１５と、前記保冷具２１の外装体２、シート状吸汗消臭材１５の四辺外周部を覆うように縫着され、前記保冷具２１、シート状吸汗消臭材１５を一体化した綿材のような周辺逢着材４１と、を有している。
【００２３】
なお、本実施例１における吸汗消臭機能付保冷具１は、上述したような敷布団又はマットレス等の上に敷いて使用する他、これ自体を単体で使用できることは勿論である。
【００２４】
前記保冷具２１における外装体２の形状、サイズは、矩形シート状で例えばシーツ用敷布団ようサイズ（例えば幅９０ｃｍ、長さ１８０ｃｍ）に形成している。
【００２５】
前記保冷具２１の外装体２を構成する表地３、裏地４に代替して、当該外装体２自体を一枚もののポリ塩化ビニル材から形成して実施することもできる。
【００２６】
なお、外装体２を形成するポリ塩化ビニル材を透明なものとして実施しても良い。この場合においても、前記吸汗消臭機能付保冷具１と略同様な吸汗消臭機能付保冷具を実現できる。
【００２７】
前記保冷具２１における保冷媒体５は、前記両裏地４同士の高周波加熱による外周圧着部６、円環状で、かつ、放熱用の円形の抜穴（貫通穴）８を有する多数の部分圧着部７及び直線状の中間圧着部９からなる各圧着部における所定の圧着パターンの基にその流動が規制される状態で外装体２内に密封収納している。
【００２８】
前記両表地３の外面側には、防かび加工を施している。また、前記外周圧着部６の外側の外縁部には側地を配置し（ヘム巻）、全周にわたって縫製加工により縫合している。
【００２９】
前記ジェルを含む保冷媒体５の組成としては、例えば、ジェル、ポリアクリル酸ナトリウム、硫酸アンモニウム、硫酸ナトリウム、グリセリン、水、防カビ剤等からなる組成を挙げることができる。
【００３０】
本実施例１における前記部分圧着部７は、この本実施例では、図１に示すように、外装体２の全体に渡って横方向に合計８個、縦方向に６段、合計で４８個設けている。そして、各抜穴８は、各部分圧着部７の中央部分に例えば各々円形状に設けている。
【００３１】
前記部分圧着部７及び抜穴８の形成方法としては、まず外装体２に対して高周波加熱により合計で４８個の部分圧着部７を形成し、次に、各部分圧着部７の中央部分にやはり高周波加熱により各々抜穴８を開けるものである。
【００３２】
本実施例１における前記中間圧着部９は、図１に示すように、外装体２に対してその縦方向中央部分に１個、横方向に縦方向の中間圧着部９の両側に位置する配置で５個ずつ合計１０個設けている。
【００３３】
前記保冷具２１における部分圧着部７及び抜穴８の具体例としては、例えば、前記外装体２に円環状の部分圧着部７及び円形の抜穴８を設ける構成、前記外装体２に円環状の部分圧着部７及び四角形の抜穴８を設ける構成、前記外装体２に四角形の部分圧着部７及び円形の抜穴８を設ける構成、前記外装体２に四角形の部分圧着部７及び四角形の抜穴８を設ける構成等を挙げることができる。
【００３４】
この他、前記部分圧着部７の形状としては三角形状、楕円形状等から選定でき、また前記抜穴８の形状としては三角形、楕円形等から選定できる。
【００３５】
すなわち、前記部分圧着部７及び抜穴８の各形状は、種々の組み合わせの中から選定できるものであり、特に限定するものではない。
【００３６】
前記シート状吸汗消臭材１５は、毛細管現象を発揮する個々の例えばポリエステル製の原糸を、多数の微細隙間（数ミクロンｍ〜１０数μｍ）を有しつつ織り込んだ吸汗性、速乾性を有する吸汗・速乾繊維（東レ（株）：セオα（登録商標））と、耐久性に優れたポリエステル製の芯材の回りに予め光触媒反応による消臭作用を発揮する消臭剤を練り込んだナイロン製の外周材を被せて鞘芯型に形成した消臭繊維（クラレ（株）：シャインアップ（登録商標））と、を織り上げその表面を図５に拡大して示すように多数の凹凸部が連続するワッフル地状としたものである。
【００３７】
前記吸汗・速乾繊維は、通常のポリエステル繊維の約２倍の吸水性、綿の７倍以上の速乾性を有するものである。
【００３８】
前記光触媒反応による消臭作用を発揮する消臭剤は、例えば四価金属のリン酸塩及び二価金属の水酸化物等の吸着剤と、酸化チタンや酸化亜鉛などの光触媒機能を有する光触媒とを包含するものである。
【００３９】
次に、図６、図７を参照して本実施例１に係る吸汗消臭機能付保冷具１の使用態様等について説明する。
【００４０】
本実施例１に係る吸汗消臭機能付保冷具１は、例えば図６、図７に示すように、就寝等に使用するベッド（又は敷布団）１０におけるシーツ１１の上面に載せ（シーツの有無は問わない）、就寝者Ｍが前記吸汗消臭機能付保冷具１上に横臥して就寝するような態様で使用するものである。なお、図６には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００４１】
このとき、保冷具２１の外周圧着部６の内部領域に多数の円環状の部分圧着部７を設けていることにより、就寝者Ｍの重さが吸汗消臭機能付保冷具１に作用しても、この吸汗消臭機能付保冷具１における保冷具２１内部のジェルを含む保冷媒体５の流動性がほど良く抑えられる。
【００４２】
そして、図７に示すように、室温と就寝者Ｍの体温との温度差により保冷媒体５が就寝者Ｍの背中、腰部、足部等の体温を奪い冷却効果を高める。
【００４３】
前記保冷媒体５に蓄熱される熱は、前記各円環状の部分圧着部７に設けた円形の抜穴８から外部に放散され、特に就寝者Ｍの身体が直接載っていない吸汗消臭機能付保冷具１の外装体２の領域における円形の抜穴８から室内空気中に放散される。
【００４４】
すなわち、就寝者Ｍの身体からの熱の放熱作用が極めて良好に行なわれる。なお、図７において、１２は枕である。
【００４５】
また、本実施例１に係る吸汗消臭機能付保冷具１によれば、上述した保冷具２１による就寝者Ｍに対する冷却効果を発揮すると同時に、前記シート状吸汗消臭材１５の作用によって例えば夏季等の高温の季節における就寝者Ｍの身体から放出される汗成分を素早く吸収乾燥し、更にその成分を吸着し光触媒反応により分解して無臭化する、すなわち、消臭することができる。
【００４６】
このようにして本実施例１に係る吸汗消臭機能付保冷具１によれば、例えば夏季等の高温期における就寝開始時から目覚め時に至るまで就寝者Ｍの体温を程よく冷却して快適な睡眠を実現させるとともに、就寝者Ｍが発汗したとしてもその汗成分を吸収、速乾し、更に消臭することができるという優れた効果を発揮する。
【００４７】
また、本実施例１に係る吸汗消臭機能付保冷具１によれば、前記シート状吸汗消臭材１５の表面を図５に示すようにワッフル地状としているので、就寝者Ｍの肩、背中、腰、足に至る範囲の肌や衣服に接触する面積が少く、これにより、就寝者Ｍは就寝時においてサラサラ感、シャリシャリ感を得ることができ、快適な睡眠環境を実現できる。
【００４８】
更に、本実施例１に係る吸汗消臭機能付保冷具１は、この吸汗消臭機能付保冷具１自体を表裏反転してのリバーシブル使用も可能であり、これにより、長期間にわたっての使用にも耐える耐久性を発揮させることもできる。
【実施例２】
【００４９】
次に、図８乃至図１０を参照して本発明の実施例２に係る吸汗消臭機能付保冷具１Ａについて説明する。
【００５０】
本実施例２に係る吸汗消臭機能付保冷具１Ａは、図８に平面を、図９に裏面を各々示すように、既述した実施例１の吸汗消臭機能付保冷具１の場合と略同様な構成であり、同一の要素には同一の符号を付しその詳細説明は省略する。
【００５１】
本実施例２に係る吸汗消臭機能付保冷具１Ａは、前記保冷具２１のいずれか一面（例えば図９に示す裏面）に既述した場合と同様なシート状吸汗消臭材１５を配置したこと、及び、その全体サイズを図８に示す態様において、例えば幅（横幅）９０ｃｍ、長さ（縦方向の長さ）９０ｃｍとし、前記吸汗消臭機能付保冷具１の略半分のハーフサイズとしたことが特徴である。
【００５２】
また、この吸汗消臭機能付保冷具１Ａにおける前記保冷具２１の部分圧着部７は、図８に示す態様において、外装体２の全体に渡って横方向に６個、縦方向に８個、合計で４８個設けている。そして、各抜穴８は、各部分圧着部７に例えば各々円形状に設けている。
【００５３】
前記中間圧着部９は、図８に示す態様において、外装体２の縦方向中央位置において横方向に１個設け、更に、縦方向に所定の間隔をおいて、かつ、横方向の中間圧着部９を挟んで縦方向上下配置に５個ずつ、合計１０個設けている。
【００５４】
本実施例２に係る吸汗消臭機能付保冷具１Ａの場合も、図１０に示すように、就寝等に使用するベッド（又は敷布団）１０におけるシーツ１１の上面に載せ（シーツの有無は問わない）、就寝者Ｍが前記吸汗消臭機能付保冷具１Ａ上に横臥して就寝するような態様で使用するものである。なお、図１０には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００５５】
なお、本実施例２に係る吸汗消臭機能付保冷具１Ａは、敷布団又はマットレス等の上に敷いて使用できる他、これ自体を単体で使用できることは勿論である。
【００５６】
本実施例２に係る吸汗消臭機能付保冷具１Ａによれば、実施例１の場合と同様、例えば夏季等の高温期における就寝開始時から目覚め時に至るまで就寝者Ｍの肩、背中等の体温を程よく冷却して快適な睡眠を実現させるとともに、就寝者Ｍが発汗したとしてもその汗成分を吸収、速乾し、更に消臭することができるという優れた効果を発揮する。
【００５７】
また、本実施例１２係る吸汗消臭機能付保冷具１Ａによれば、前記シート状吸汗消臭材１５の表面を図５に示すようにワッフル地状としているので、実施例１の場合と同様、就寝者Ｍの肩、背中等の肌や衣服に接触する面積が少く、これにより、就寝者Ｍは就寝時においてサラサラ感、シャリシャリ感を得ることができ、快適な睡眠環境を実現できる。
【００５８】
更に、本実施例２に係る吸汗消臭機能付保冷具１Ａの場合も、この吸汗消臭機能付保冷具１Ａ自体を表裏反転してのリバーシブル使用も可能であり、これにより、長期間にわたっての使用にも耐える耐久性を発揮させることもできる。
【実施例３】
【００５９】
図１１乃至図１３を参照して本発明の実施例３に係る吸汗消臭機能付保冷具１Ｂについて説明する。
【００６０】
本実施例３に係る吸汗消臭機能付保冷具１Ｂは、図１１に平面を、図１２に裏面を各々示すように、既述した実施例１の吸汗消臭機能付保冷具１の場合と略同様な構成であり、同一の要素には同一の符号を付しその詳細説明は省略する。
【００６１】
本実施例３に係る吸汗消臭機能付保冷具１Ｂは、前記保冷具２１のいずれか一面（例えば図１２に示す裏面）に既述した場合と同様なシート状吸汗消臭材１５を配置したこと、及び、その全体サイズを図１１に示す態様において、例えば幅（横幅）４０ｃｍ、長さ（縦方向の長さ）３０ｃｍとし、枕１２用の枕サイズとして構成したことが特徴である。
【００６２】
この吸汗消臭機能付保冷具１Ｂの場合、部分圧着部７は、図１１に示すように、外装体２の全体に渡って横方向に３個、縦方向に２個、合計で６個設けている。そして、各抜穴８は、例えば各部分圧着部７の中央部に各々円形状に設けている。
【００６３】
図１３は、本実施例３に係る吸汗消臭機能付保冷具１Ｂの使用態様を示すもので、枕１２に吸汗消臭機能付保冷具１Ｂを掛け、就寝者Ｍが頭部を載せて就寝することによって、既述した場合と同様にして室温と就寝者Ｍの体温との温度差により保冷媒体５が就寝者Ｍの頭部の体温を奪い、かつ、前記抜穴８や前記多穴弾性体３１の穴３２が熱を室内空気中に放散させる。すなわち、就寝者Ｍの頭部からの熱の放熱作用が良好に行なわれる。なお、図１３には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００６４】
本実施例３に係る吸汗消臭機能付保冷具１Ｂによれば、実施例１の場合と同様、例えば夏季等の高温期における就寝開始時から目覚め時に至るまで就寝者Ｍの頭部等の体温を程よく冷却して快適な睡眠を実現させるとともに、就寝者Ｍが発汗したとしてもその汗成分を吸収、速乾し、更に消臭することができるという優れた効果を発揮する。
【００６５】
また、本実施例３に係る吸汗消臭機能付保冷具１Ｂによれば、前記シート状吸汗消臭材１５の表面を図５に示すようにワッフル地状としているので、実施例１の場合と同様、就寝者Ｍの顔の肌、髪の毛等に接触する面積が少く、これにより、就寝者Ｍは就寝時においてサラサラ感、シャリシャリ感を得ることができ、快適な睡眠環境を実現できる。
【００６６】
更に、本実施例３に係る吸汗消臭機能付保冷具１Ｂの場合も、この吸汗消臭機能付保冷具１Ｂ自体を表裏反転してのリバーシブル使用も可能であり、これにより、長期間にわたっての使用にも耐える耐久性を発揮させることもできる。
【実施例４】
【００６７】
次に本発明の実施例４に係る吸汗消臭機能付保冷具１Ｃについて詳細に説明する。
【００６８】
本実施例４に係る吸汗消臭機能付保冷具１Ｃは、既述した実施例１に係る吸汗消臭機能付保冷具１の場合と同様、例えば敷布団又はマットレス等の上に敷いて使用するものである。
【００６９】
また、本実施例４に係る吸汗消臭機能付保冷具１Ｃにおいて、実施例１に係る吸汗消臭機能付保冷具１の場合と同一の要素には同一の符号を付し、その詳細説明は省略する。
【００７０】
本実施例４に係る吸汗消臭機能付保冷具１Ｃは、図１４乃至図１９に示すように、例えば綿材、ナイロン、ポリエステル、レーヨン、麻、起毛生地、ちりめん、楊柳、タオル地等からなる表地３と、高周波加熱により溶着可能な例えばポリ塩化ビニル（ＰＶＣ）等の非吸水性素材からなる裏地４とを重合した一方の被覆材と、同様な構成の表地３、裏地４からなる他方の被覆材とを前記裏地４同士が対向する配置で重ね合わせ、高周波加熱加工を施した外装体２と、この外装体２内に散在状態で密封収納したジェルを含む保冷媒体５と、を有する保冷具２１と、前記保冷具２１の一方の面（例えば図１４に示すような正面）に重合配置されるとともに、前記保冷具２１に対応するサイズで、かつ、偏平な形態に形成した多穴弾性体３１と、前記保冷具２１の他方の面（例えば図１５に示すような裏面）に重合配置されるとともに、毛細管現象を発揮する個々の原糸を、多数の微細隙間を有しつつ織り込んだ吸汗性、速乾性を有する吸汗・速乾繊維と、芯材の回りに光触媒反応による消臭作用を発揮する消臭剤を練り込んだ外周材を被せて形成した消臭繊維と、を織り上げて形成したシート状吸汗消臭材１５と、前記多穴弾性体３１、前記保冷具２１の外装体２、シート状吸汗消臭材１５の四辺外周部を覆うように縫着され、前記多穴弾性体３１、前記保冷具２１、シート状吸汗消臭材１５を一体化した綿材のような周辺逢着材４１と、を有している。
【００７１】
なお、本実施例４における吸汗消臭機能付保冷具１Ｃは、上述したような敷布団又はマットレス等の上に敷いて使用する他、これ自体を単体で使用できることは実施例１の場合と同様である。
【００７２】
前記保冷具２１における外装体２の形状、サイズは、実施例１の場合と同様、矩形シート状で例えばシーツ用敷布団ようサイズ（例えば幅９０ｃｍ、長さ１８０ｃｍ）に形成している。
【００７３】
前記多穴弾性体３１は、図１７、図１８に示すように、六角形状、円形状、楕円形状、四角形状、菱形状のような形状から選定される多数の穴３２が連続して連なる形態の矩形シート状の例えばポリエステル材又はナイロン材のような網目状表地３３及び網目状裏地３４を対向配置とし、図１８に示すように、前記網目状表地３３、網目状裏地３４の対向する網材３３ａ、３４ａ間を各々間隔を隔て多数の弾性連結糸材３５（弾性連結糸材群）により連結することにより、前記網目状表地３３、網目状裏地３４間に弾性（バネ性）及び通気性を持たせた構成となっている。
【００７４】
前記弾性連結糸材３５としては、例えばナイロン又はテフロン（登録商標）のような材質からなるモノフィラメント又はマルチフィラメントを採用している。前記多穴弾性体３１の厚さは、例えば３〜２０ｍｍに設定する。
【００７５】
前記網材３３ａ、３４ａ間を各々間隔を隔て連結する前記弾性連結糸材３５の連結態様は、例えば、ストレート、クロス、ストレート・クロス混合の各態様を挙げることができる。
【００７６】
そして、前記シート状吸汗消臭材１５の四辺外周部、前記保冷具２１における外装体２の四辺外周部及び前記多穴弾性体３１の四辺外周部を重ね合わせ、綿材のような周辺逢着材４１を、各四辺外周部を覆うように縫着することで、本実施例４の吸汗消臭機能付保冷具１Ｃを構成している。
【００７７】
なお、本実施例４における吸汗消臭機能付保冷具１Ｃは、上述したような敷布団又はマットレス等の上に敷いて使用する他、これ自体を単体で使用できることは実施例１の場合と同様である。
【００７８】
また、前記保冷具２１の外装体２を構成する表地３、裏地４に代替して、実施例１の場合と同様、当該外装体２自体を一枚もののポリ塩化ビニル材から形成して実施することもできる。
【００７９】
なお、外装体２を形成するポリ塩化ビニル材を透明なものとして実施しても良い。この場合においても、前記吸汗消臭機能付保冷具１Ｃと略同様な吸汗消臭機能付保冷具を実現できる。
【００８０】
本実施例４に係る吸汗消臭機能付保冷具１Ｃの場合も、図１９に示すように、就寝等に使用するベッド（又は敷布団）１０におけるシーツ１１の上面に載せ（シーツの有無は問わない）、就寝者Ｍが前記吸汗消臭機能付保冷具１Ｄ上に横臥して就寝するような態様で使用するものである。なお、図１９には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００８１】
なお、図１９は、前記吸汗消臭機能付保冷具１Ｃの裏面側（シート状吸汗消臭材１５側）を上面とした態様を示している。
【００８２】
本実施例４に係る吸汗消臭機能付保冷具１Ｃによれば、既述した実施例１に係る吸汗消臭機能付保冷具１の場合と同様、就寝者Ｍの体温を程よく冷却して快適な睡眠を実現させるとともに、就寝者Ｍが発汗したとしてもその汗成分を吸収、速乾し、更に消臭することができ、また、就寝者Ｍは就寝時においてサラサラ感、シャリシャリ感を得ることができ、快適な睡眠環境を得ることができ、更に、リバーシブル使用可能であることにより長期間にわたっての使用にも耐える耐久性を発揮させることもできる。
【００８３】
加えて、本実施例４に係る吸汗消臭機能付保冷具１Ｃによれば、前記多穴弾性体３１における弾性連結糸材群の弾性作用によって吸汗消臭機能付保冷具１Ｃ自体が適度に撓むことから、心地よく就寝者Ｍの体にフィットし使用感が極めて良好になるという効果も奏する。
【実施例５】
【００８４】
次に、図２０乃至図２２を参照して本発明の実施例５に係る吸汗消臭機能付保冷具１Ｄ及びその使用態様について説明する。
【００８５】
なお、本実施例５に係る吸汗消臭機能付保冷具１Ｄは、図２０に平面を、図２１に裏面を各々示すように、既述した実施例２の吸汗消臭機能付保冷具１の場合と略同様な構成であり、同一の要素には同一の符号を付しその詳細説明は省略する。
【００８６】
本実施例５に係る吸汗消臭機能付保冷具１Ｄは、既述した実施例２に係るハーフサイズの吸汗消臭機能付保冷具１Ａの構成に、実施例４の場合と同様にして、ハーフサイズの多穴弾性体３１を付加し、既述した場合と同様にして周辺逢着材４１により一体化したことが特徴である。
【００８７】
本実施例５に係る吸汗消臭機能付保冷具１Ｄの場合も、図２２に示すように、就寝等に使用するベッド（又は敷布団）１０におけるシーツ１１の上面に載せ（シーツの有無は問わない）、就寝者Ｍが前記吸汗消臭機能付保冷具１Ｄ上に横臥して就寝するような態様で使用するものである。なお、図２２には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００８８】
なお、図２２は、前記吸汗消臭機能付保冷具１Ｄの裏面側（シート状吸汗消臭材１５側）を上面とした態様を示している。
【００８９】
なお、本実施例５に係る吸汗消臭機能付保冷具１Ｄは、敷布団又はマットレス等の上に敷いて使用できる他、これ自体を単体で使用できることは勿論である。
【００９０】
本実施例５に係る吸汗消臭機能付保冷具１Ｄによれば、実施例２の場合と同様、就寝者Ｍの肩、背中等の部分の体温を程よく冷却して快適な睡眠を実現させるとともに、就寝者Ｍが発汗したとしてもその汗成分を吸収、速乾し、更に消臭することができ、また、就寝者Ｍは就寝時においてサラサラ感、シャリシャリ感を得ることができ、快適な睡眠環境を得ることができ、更に、リバーシブル使用可能であることにより長期間にわたっての使用にも耐える耐久性を発揮させることもできる。
【００９１】
加えて、本実施例５に係る吸汗消臭機能付保冷具１Ｄによれば、前記多穴弾性体３１における弾性連結糸材群の弾性作用によって吸汗消臭機能付保冷具１Ｃ自体が適度に撓むことから、心地よく就寝者Ｍの肩、背中等の部分にフィットし使用感が極めて良好になるという効果をも奏する。
【実施例６】
【００９２】
次に、図２３乃至図２５を参照して本発明の実施例６に係る吸汗消臭機能付保冷具１Ｅ及びその使用態様について説明する。
【００９３】
なお、本実施例６に係る吸汗消臭機能付保冷具１Ｅは、図２３に平面を、図２４に裏面を各々示すように、既述した実施例３の吸汗消臭機能付保冷具１Ｂの場合と略同様な構成であり、同一の要素には同一の符号を付しその詳細説明は省略する。
【００９４】
本実施例６に係る吸汗消臭機能付保冷具１Ｅは、既述した実施例３に係るハーフサイズの吸汗消臭機能付保冷具１Ｂの構成に、実施例５の場合と同様にして、枕サイズの多穴弾性体３１を付加し、既述した場合と同様にして周辺逢着材４１により一体化したことが特徴である。
【００９５】
本実施例６に係る吸汗消臭機能付保冷具１Ｅの場合も、図２５に示すように、就寝等に使用するベッド（又は敷布団）１０におけるシーツ１１の枕１２に吸汗消臭機能付保冷具１Ｅを掛け、就寝者Ｍが頭部を載せて就寝する態様で使用するものである。なお、図２５には、シート状吸汗消臭材１５の面が就寝者Ｍに触れるような態様での使用例を示すが、シート状吸汗消臭材１５の面がシーツ１１上に位置して就寝者Ｍに触れないような態様で使用することもできる。
【００９６】
本実施例６に係る吸汗消臭機能付保冷具１Ｅによれば、実施例３の吸汗消臭機能付保冷具１Ｂの場合と同様な作用、効果を発揮するとともに、前記多穴弾性体３１における弾性連結糸材群の弾性作用によって吸汗消臭機能付保冷具１Ｃ自体が適度に撓むことから、心地よく就寝者Ｍの頭部にフィットし使用感が極めて良好になるという効果も奏する。
【００９７】
なお、上述した吸汗消臭機能付保冷具１乃至１Ｅは、各々そのままでひんやりするものであるが、例えば大型の冷蔵庫内に入れて冷やした後使用したり、比較的小寸法の吸汗消臭機能付保冷具１Ｂ、１Ｅ等の場合は電子レンジ内で暖めて使用したりするという応用も可能である。
【産業上の利用可能性】
【００９８】
本発明の吸汗消臭機能付保冷具は、上述したように主に就寝時に用いる他、夏場等における疲労回復用、スポーツ後の休息用等として広範な用途に適用可能である。また、本発明の吸汗消臭機能付保冷具は、上述した場合の他、カーシート上に敷いて使用するためのカーシートサイズ、座布団上に敷いて使用するための座布団サイズ、更には、ワインを保冷するためのワイン保冷用シートサイズ等、種々の応用が可能である。
【符号の説明】
【００９９】
１    吸汗消臭機能付保冷具
１Ａ  吸汗消臭機能付保冷具
１Ｂ  吸汗消臭機能付保冷具
１Ｃ  吸汗消臭機能付保冷具
１Ｄ  吸汗消臭機能付保冷具
１Ｅ  吸汗消臭機能付保冷具
２    外装体
３    表地
４    裏地
５    保冷媒体
６    外周圧着部
７    部分圧着部
８    抜穴
９    中間圧着部
１０    ベッド
１１    シーツ
１２    枕
１５    シート状吸汗消臭材
２１    保冷具
３１    多穴弾性体
３２    穴
３３    網目状表地
３３ａ  網材
３４    網目状裏地
３４ａ  網材
３５    弾性連結糸材
４１    周辺逢着材
Ｍ    就寝者
【図１】
2011218007.tif 000003
【図２】
2011218007.tif 000004
【図３】
2011218007.tif 000005
【図４】
2011218007.tif 000006
【図６】
2011218007.tif 000007
【図７】
2011218007.tif 000008
【図８】
2011218007.tif 000009
【図９】
2011218007.tif 000010
【図１０】
2011218007.tif 000011
【図１１】
2011218007.tif 000012
【図１２】
2011218007.tif 000013
【図１３】
2011218007.tif 000014
【図１４】
2011218007.tif 000015
【図１５】
2011218007.tif 000016
【図１６】
2011218007.tif 000017
【図１７】
2011218007.tif 000018
【図１８】
2011218007.tif 000019
【図１９】
2011218007.tif 000020
【図２０】
2011218007.tif 000021
【図２１】
2011218007.tif 000022
【図２２】
2011218007.tif 000023
【図２３】
2011218007.tif 000024
【図２４】
2011218007.tif 000025
【図２５】
2011218007.tif 000026
【図５】
2011218007.tif 000027